(57)【要約】      （修正有）【課題】高堅牢性を有し、実装不良を防止することが可能な吸着コレットを提供する。【解決手段】電子部品を吸着する吸着コレット１０１であって、安定的に把持することが出来るように、球面ＬＥＤ１０２のフランジ部１０３を吸着領域として吸着し、この吸着領域よりも内側では、球面ＬＥＤ１０２との間で接触することのないように、空隙１０５を有する。【選択図】図１
2012004159.tif 000002
【特許請求の範囲】
【請求項１】
電子部品を吸着する吸着コレットであって、
前記電子部品のフランジ部を吸着領域として吸着し、前記吸着領域よりも内側では前記電子部品との間に空隙を有する吸着コレット。
【請求項２】
請求項１に記載の吸着コレットであって、
釣鐘形状である吸着コレット。
【請求項３】
請求項１または２に記載の吸着コレットであって、
前記電子部品の前記フランジ部が有する弾性部材と接触する吸着コレット。
【請求項４】
請求項１または２に記載の吸着コレットであって、
弾性部材を有し、
前記弾性部材と前記電子部品の前記フランジ部とが接触する吸着コレット。
【発明の詳細な説明】
【技術分野】
【０００１】
本発明は、吸着コレットに関する。特に、部品本体中心上部よりピックアップ又はマウントすることが困難である特殊部品をピックアップ又はマウントするための吸着コレットに関する。
【背景技術】
【０００２】
従来の電子部品のピックアップ方法として、半導体パッケージの表面が平坦でない場合にも適切にピックアップすることができる半導体パッケージの吸着装置が知られている（例えば、特許文献１参照）。この吸着装置は、管と弁を設けた吸着コレットをシリンダブロックヘッドに格子状に挿入し、半導体パッケージをピックアップする吸着点を複数有している。この吸着装置によれば、複数の吸着点のうち十分に吸着できない吸着点があっても、他の吸着点において吸着することができる。
【先行技術文献】
【特許文献】
【０００３】
【特許文献１】特開平９−１９９５７７号公報
【発明の概要】
【発明が解決しようとする課題】
【０００４】
しかしながら、従来の吸着装置においては、図３に示すように、半導体パッケージ等の電子部品を吸着するための吸着パッドが先端に接続された吸着ノズルが、キャピラリー形状（細い管状）を有する吸着ノズル３１となっている。このため、電子部品を吸着した際に吸着ノズルが折れてしまったり磨耗してしまったりするなど、堅牢性が低く、そのために実装不良が発生することがあった。また、仮に、図３に示すように、球面形状等の特殊形状を有する電子部品３２を吸着しようとすると、安定的に電子部品を吸着できずにスリップしてしまい、実装不良が発生することが予想される。
【０００５】
本発明は、上記事情に鑑みてなされたものであって、高堅牢性を有し、実装不良を防止することが可能な吸着コレットを提供することを目的とする。
【課題を解決するための手段】
【０００６】
本発明の吸着コレットは、電子部品を吸着する吸着コレットであって、前記電子部品のフランジ部を吸着領域として吸着し、前記吸着領域よりも内側では前記電子部品との間に空隙を有する。
【０００７】
この構成により、電子部品の特定の一点とのみ接触して吸着する場合と比較して高堅牢性を有し、そのため電子部品の実装不良を防止することができる。また、電子部品の吸着領域より内側部分と接触することがないため、例えば電子部品の当該部分が破損しやすい場合であっても電子部品を傷付けることがない。また、電子部品の当該部分がスリップしやすい場合であっても、安定的に把持することができる。
【０００８】
また、本発明の吸着コレットは、釣鐘形状を有する。
【０００９】
この構成により、電子部品の周縁に位置するフランジ部を吸着することができ、電子部品を安定的に把持することができる。また、電子部品の中央付近と接触することがないため、例えば電子部品の中央付近が破損しやすい場合であっても電子部品を傷付けることがない。また、電子部品の中央付近がスリップしやすい場合であっても、安定的に把持することができる。
【００１０】
また、本発明の吸着コレットは、前記電子部品の前記フランジ部が有する弾性部材と接触する。
【００１１】
この構成により、より安定的に電子部品を吸着することができる。
【００１２】
また、本発明の吸着コレットは、弾性部材を有し、前記弾性部材と前記電子部品の前記フランジ部とが接触する。
【００１３】
この構成により、より安定的に電子部品を吸着することができる。
【発明の効果】
【００１４】
本発明によれば、高堅牢性を有し、実装不良を防止することが可能な吸着コレットを提供することができる。
【図面の簡単な説明】
【００１５】
【図１】本発明の実施形態における吸着装置の主要部分の構成の一例を示す断面図
【図２】本発明の実施形態における吸着コレットと球面ＬＥＤとの接触領域を示す図
【図３】従来の吸着装置を示す全体構成図
【発明を実施するための形態】
【００１６】
以下に、本発明の実施形態について、図面を参照しながら説明する。
【００１７】
図１は本発明の実施形態における球面ＬＥＤを吸着するための吸着装置の主要部分の一例を示す断面図である。なお、球面ＬＥＤは吸着装置が吸着する電子部品の一例であり、他の電子部品であってもよい。他の電子部品としては、球面ＬＥＤのように形状が特殊であり、電子部品の中心付近を吸着することが困難な電子部品が考えられる。また、電子部品表面が著しく弱いものや傷付きやすいものであり、例えば、ＣＣＤやフォトダイオードなどの光学系部品、半導体関連部品などが考えられる。
【００１８】
図１に示す吸着装置１は、吸着コレット１０１を有している。吸着コレット１０１は、内部に空間を有するものであり、球面ＬＥＤ１０２等の電子部品の周囲を覆うものである。また、吸着コレット１０１の端面は、全周にわたって球面ＬＥＤ１０２のフランジ部１０３に接触する。また、この端面が球面ＬＥＤ１０２に接触した状態では、吸着コレット１０１の内面と球面ＬＥＤ１０２との間に、空隙１０５が形成される。すなわち、吸着コレット１０１は、球面ＬＥＤ１０２のフランジ部１０３の少なくとも一部を吸着領域として吸着し、この吸着領域よりも内側では球面ＬＥＤ１０２との間に空隙１０５を有している。フランジ部１０３は、球面ＬＥＤ１０２の発光体１０６の周囲の台座の領域である。吸着コレット１０１の形状は、例えば釣鐘形状（洞窟形状）であるが、他の形状であってもよい。
【００１９】
図２は、吸着コレット１０１と球面ＬＥＤ１０２との接触領域を示す図である。図２に示すように、発光体１０６の周囲に位置するフランジ部１０３の一部に、吸着領域１０７が形成されている。吸着時には、吸着コレット１０１は、この吸着領域１０７に接触する。図２の例では、吸着領域１０７は、円形の環状で形成されているが、この形状に限られることなく、例えば矩形の環状で形成されてもよい。さらに、フランジ部１０３の一部ではなく、フランジ部１０３の全体にわたって吸着領域１０７が形成されてもよい。
【００２０】
吸着コレット１０１が球面ＬＥＤ１０２を吸着する際には、吸着装置１の吸引ポンプが、吸着コレット１０１と球面ＬＥＤ１０２の吸着領域との接触時に、空隙１０５を真空状態とする。これにより、球面ＬＥＤ１０２をピックアップすることができる。また、吸着コレット１０１が球面ＬＥＤ１０２を吸着解除する際には、吸着装置１の吸引ポンプが、球面ＬＥＤ１０２を吸着している時に、空隙１０５の真空状態を解除する。これにより、球面ＬＥＤ１０２を基板１０４へマウントすることができる。
【００２１】
また、より安定的に吸着コレット１０１による吸着を行うためには、球面ＬＥＤ１０２のフランジ部１０３に、ゴム等の弾性部材を設けておいてもよい。同様に、球面ＬＥＤ１０２のフランジ部１０３と接触する吸着コレット１０１の先端部に、ゴム等の弾性部材を設けておいてもよい。これにより、より安定的に球面ＬＥＤ１０２をピックアップ等することができる。
【００２２】
吸着コレット１０１を用いて球面ＬＥＤ１０２をピックアップ又はマウントすることで、以下のような効果がある。
【００２３】
すなわち、吸着コレット１０１により球面ＬＥＤ１０２が吸着されたピックアップ吸着状態では、球面ＬＥＤ１０２の破損しやすい発光体１０６に直接触れることなくフランジ部１０３を吸着することができるので、ピックアップ時に球面ＬＥＤ１０２の発光体１０６部分に損傷を与えることがない。
【００２４】
また、球面ＬＥＤ１０２のフランジ部１０３の少なくとも一部を吸着領域として利用するので、平面部の限られた省スペースを活用することができ、発光体１０６を避けているので、ピックアップ時にスリップすることがない。そのため、実装時に連続稼動性を阻害することなく、実装をスムーズに行うことができる。
【００２５】
また、球面ＬＥＤ１０２の発光体１０６は堅牢な構造物では無いが、吸着コレット１０１によれば、球面ＬＥＤ１０２のピックアップ時及びマウント時の衝撃による応力も低減することができる。
【００２６】
このように、本実施形態の吸着コレット１０１は、堅牢性の低いキャピラリー形状の吸着コレットとは異なり、実装対象の電子部品を覆う形でピックアップ等を行うので、高堅牢性を有している。そのため、吸着コレット１０１を用いることで、電子部品の実装不良を防止することができ、安定して電子部品の実装を行うことができる。特に、近年では、実装デバイスについては小型化のみならず特殊形状（異型）化も進んでおり、従来の吸着ノズルでは異型部品に対して安定したピックアップが全くできないケースも稀ではなかったが、本実施形態の吸着コレット１０１によれば、異型部品に適合した安定した実装を行うことができる。
【産業上の利用可能性】
【００２７】
本発明は、高堅牢性を有し、実装不良を防止することが可能な吸着コレット等に有用である。
【符号の説明】
【００２８】
１  吸着装置
１０１  吸着コレット
１０２  球面ＬＥＤ
１０３  球面ＬＥＤのフランジ部
１０４  基板
１０５  空隙
１０６  発光体
１０７  吸着領域
【図１】
2012004159.tif 000003
【図２】
2012004159.tif 000004
【図３】
2012004159.tif 000005